(57)【要約】【課題】印字機本体に対してチューブクリーナがチューブ用アダプタを介して取付けられる場合よりも、部品数を低減してコストを抑制することができ、印字機本体に対するチューブクリーナの取付けを簡略化する。【解決手段】チューブに印字を行うチューブ印字モードと、記名板用テープに印字を行う記名板印字モードとを有する印字機に、記名板用テープカセット５若しくはチューブカセットをカセット収納部２に対して位置決めするための位置決め部３を設ける。その位置決め部３を、カセット収納部２に対してチューブクリーナ４を直接位置決めして取付けるための位置決め部として用いる。つまり、カセット収納部２に対してチューブクリーナ４が直接取付けられる。【選択図】図３
2005199587.tif 000002
【特許請求の範囲】
【請求項１】
チューブに印字を行うチューブ印字モードと、記名板用テープに印字を行う記名板印字モードとを有するチューブ記名板印字機において、記名板用テープカセット若しくはチューブカセットを印字機本体に対して位置決めするために前記印字機本体に設けられた位置決め部が、前記印字機本体に対してチューブクリーナを直接位置決めして取付けるための位置決め部として用いられることを特徴とするチューブ記名板印字機。
【請求項２】
チューブを把持するための貫通孔を有し、前記貫通孔に対してチューブを貫通孔の中心軸線方向に移動させることによりチューブのクリーニングを行うようにした印字機用チューブクリーナにおいて、前記貫通孔から貫通孔の径方向に延びているチューブ取付け用スリットを設けたことを特徴とする印字機用チューブクリーナ。
【請求項３】
請求項２に記載の印字機用チューブクリーナを具備する印字機。
【発明の詳細な説明】
【技術分野】
【０００１】
本発明は、チューブに印字を行うチューブ印字モードと、記名板用テープに印字を行う記名板印字モードとを有するチューブ記名板印字機に関し、特には、印字機本体に対してチューブクリーナがチューブ用アダプタを介して取付けられる場合よりも、部品数を低減してコストを抑制することができ、印字機本体に対するチューブクリーナの取付けを簡略化することができるチューブ記名板印字機に関する。
【０００２】
更に、本発明は、チューブを把持するための貫通孔を有し、その貫通孔に対してチューブを貫通孔の中心軸線方向に移動させることによりチューブのクリーニングを行うようにした印字機用チューブクリーナおよびそれを具備する印字機に関し、特には、チューブを貫通孔の中心軸線方向に移動させることによりチューブがその一端からチューブクリーナの貫通孔内にセットされる場合よりも、チューブをチューブクリーナの貫通孔内に容易にセットすることができる印字機用チューブクリーナおよびそれを具備する印字機に関する。
【背景技術】
【０００３】
従来から、チューブに印字を行うモードと、ＩＤストリップに印字を行うモードとを有する印字装置が知られている。この種の印字装置の例としては、例えば特開２００２−２５４０４７号公報に記載されたものがある。
【０００４】
特開２００２−２５４０４７号公報に記載された印字装置では、ＩＤストリップに印字が行われる場合に、ＩＤストリップがＩＤストリップ用カセットに格納され、印字装置本体に設けられたカセットセット部にＩＤストリップ用カセットがセットされて、印字が行われる。一方、チューブに印字が行われる場合には、カセットセット部からＩＤストリップ用カセットが取り外され、チューブ用アダプタにチューブがセットされ、そのチューブ用アダプタがカセットセット部にセットされて、印字が行われる。詳細には、印字が行われるチューブをクリーニングするためのチューブクリーナが、チューブ用アダプタに取付けられる。
【０００５】
ところが、特開２００２−２５４０４７号公報に記載された印字装置では、上述したように、チューブクリーナがチューブ用アダプタを介して印字装置本体に取付けられ、チューブクリーナを印字装置本体に直接取付けることができない。そのため、印字装置本体に対するチューブクリーナの取付けが煩雑になってしまう。また、特開２００２−２５４０４７号公報に記載された印字装置では、上述したように、チューブに印字が行われる場合に、チューブクリーナのみならず、チューブ用アダプタも必要とされる。そのため、部品数が増加し、コストが嵩んでしまう。
【０００６】
また、特開２００２−２５４０４７号公報に記載されたチューブクリーナでは、チューブを把持するための貫通孔がクリーナシートに設けられ、その貫通孔に対してチューブを貫通孔の中心軸線方向に移動させることによりチューブのクリーニングが行われるようになっている。
【０００７】
ところが、特開２００２−２５４０４７号公報に記載されたチューブクリーナでは、クリーナシートの外周にホルダが配置されている。そのため、クリーナシートの貫通孔内にチューブをセットする場合に、チューブを貫通孔の径方向に移動させて貫通孔内にセットすることができず、チューブを貫通孔の中心軸線方向に移動させることによってチューブをその一端から貫通孔内にセットしなければならない。つまり、特開２００２−２５４０４７号公報に記載されたチューブクリーナでは、チューブを貫通孔内に容易にセットすることができない。
【０００８】
【特許文献１】特開２００２−２５４０４７号公報
【発明の開示】
【発明が解決しようとする課題】
【０００９】
前記問題点に鑑み、本発明は、印字機本体に対してチューブクリーナがチューブ用アダプタを介して取付けられる場合よりも、部品数を低減してコストを抑制することができ、印字機本体に対するチューブクリーナの取付けを簡略化することができるチューブ記名板印字機を提供することを目的とする。
【００１０】
更に、本発明は、チューブを貫通孔の中心軸線方向に移動させることによりチューブがその一端からチューブクリーナの貫通孔内にセットされる場合よりも、チューブをチューブクリーナの貫通孔内に容易にセットすることができる印字機用チューブクリーナおよびそれを具備する印字機を提供することを目的とする。
【課題を解決するための手段】
【００１１】
請求項１に記載の発明によれば、チューブに印字を行うチューブ印字モードと、記名板用テープに印字を行う記名板印字モードとを有するチューブ記名板印字機において、記名板用テープカセット若しくはチューブカセットを印字機本体に対して位置決めするために前記印字機本体に設けられた位置決め部が、前記印字機本体に対してチューブクリーナを直接位置決めして取付けるための位置決め部として用いられることを特徴とするチューブ記名板印字機が提供される。
【００１２】
請求項２に記載の発明によれば、チューブを把持するための貫通孔を有し、前記貫通孔に対してチューブを貫通孔の中心軸線方向に移動させることによりチューブのクリーニングを行うようにした印字機用チューブクリーナにおいて、前記貫通孔から貫通孔の径方向に延びているチューブ取付け用スリットを設けたことを特徴とする印字機用チューブクリーナが提供される。
【００１３】
請求項３に記載の発明によれば、請求項２に記載の印字機用チューブクリーナを具備する印字機が提供される。
【発明の効果】
【００１４】
請求項１に記載のチューブ記名板印字機では、記名板用テープカセット若しくはチューブカセットを印字機本体に対して位置決めするために印字機本体に設けられた位置決め部が、印字機本体に対してチューブクリーナを直接位置決めして取付けるための位置決め部として用いられる。つまり、印字機本体に対してチューブクリーナが直接取付けられる。そのため、印字機本体に対してチューブクリーナがチューブ用アダプタを介して取付けられる特開２００２−２５４０４７号公報に記載された従来の場合よりも、部品数を低減してコストを抑制することができ、印字機本体に対するチューブクリーナの取付けを簡略化することができる。
【００１５】
請求項２に記載の印字機用チューブクリーナでは、貫通孔から貫通孔の径方向に延びているチューブ取付け用スリットが設けられている。つまり、チューブ取付け用スリットを介して貫通孔の径方向にチューブを移動させることにより、チューブがチューブクリーナの貫通孔内にセットされる。そのため、チューブを貫通孔の中心軸線方向に移動させることによりチューブがその一端からチューブクリーナの貫通孔内にセットされる特開２００２−２５４０４７号公報に記載された従来の場合よりも、チューブをチューブクリーナの貫通孔内に容易にセットすることができる。
【００１６】
請求項３に記載の印字機では、チューブを貫通孔の中心軸線方向に移動させることによりチューブがその一端からチューブクリーナの貫通孔内にセットされる特開２００２−２５４０４７号公報に記載された従来の場合よりも、チューブをチューブクリーナの貫通孔内に容易にセットすることができる。請求項３に記載の印字機には、チューブに印字を行うチューブ印字モードと、記名板用テープに印字を行う記名板印字モードとを有するチューブ記名板印字機のみならず、チューブに印字を行うチューブ印字モードのみを有し、記名板用テープに印字を行う記名板印字モードを有さない印字機も含まれる。
【発明を実施するための最良の形態】
【００１７】
以下、本発明の印字機の第１の実施形態について説明する。図１は第１の実施形態の印字機の斜視図、図２は図１に示した印字機の一部の拡大平面図である。詳細には、図１は印字機のカバーおよびカバー内の部品の一部を取り外した状態を示した図である。図１および図２において、１はチューブ（図示せず）または記名板用テープ（図示せず）に印字を行うための印字部、２は記名板用テープを収容した記名板用テープカセット（図示せず）、あるいは、チューブを収容したチューブカセット（図示せず）を配置するためのカセット収納部である。３は記名板用テープカセット若しくはチューブカセットを印字機本体に対して位置決めするために印字機本体に設けられた位置決め部である。つまり、位置決め部３は、記名板用テープカセット若しくはチューブカセットをカセット収納部２に対して位置決めするためにカセット収納部２に設けられている。
【００１８】
８は印字すべきチューブ（図示せず）を印字機内に挿入するためのチューブ挿入部、９は印字されたチューブを印字機外に排出するためのチューブ排出部である。１０は印字すべき内容などを入力するためのキーボード、１１は印字すべき内容などを表示するための表示部である。
【００１９】
図１に示す第１の実施形態の印字機は、チューブ（図示せず）に印字を行う印字モードと、記名板用テープ（図示せず）に印字を行う記名板印字モードとを有する。詳細には、第１の実施形態の印字機は、例えば電気工事現場における配線作業を容易にするためのものである。印字機によって印字されたチューブは、配線作業が行われる電線のまわりに配置され、印字機によって印字された記名板用テープは、その電線が接続される端子に隣接して配置される。つまり、例えば「ＣＯＭ０１」と印字されたチューブが取付けられた電線を、「ＣＯＭ０１」と印字された記名板用テープが取付けられた端子に接続することにより、電線と端子とを誤って接続してしまうのを回避することができる。
【００２０】
図３は図１に示した印字機に記名板用テープカセットを取付けた状態を示した図２と同様の拡大平面図である。図３において、５は記名板用テープ（図示せず）を収容した記名板用テープカセットである。つまり、図３は記名板用テープカセット５から引き出された記名板用テープ（図示せず）に印字を行う記名板印字モードを示している。図３に示すように、第１の実施形態の印字機では、位置決め部３によって記名板用テープカセット５が印字機本体に位置決めされる。詳細には、位置決め部３によって記名板用テープカセット５がカセット収納部２に位置決めされる。
【００２１】
図４は図１に示した印字機にチューブクリーナを取付けた状態を示した図２と同様の拡大平面図である。図４において、４は印字すべきチューブ（図示せず）を印字前にクリーニングするためのチューブクリーナである。つまり、図４はチューブクリーナ４によってクリーニングされたチューブ（図示せず）に印字を行うチューブ印字モードを示している。図４に示すように、第１の実施形態の印字機では、チューブクリーナ４が、位置決め部３によって印字機本体に位置決めされ、直接取付けられる。詳細には、チューブクリーナ４が、位置決め部３によってカセット収納部２に位置決めされ、直接取付けられる。
【００２２】
すなわち、図３および図４に示すように、第１の実施形態の印字機では、記名板用テープカセット５若しくはチューブカセット（図示せず）を印字機本体（詳細には、カセット収納部２）に対して位置決めするための位置決め部３が、チューブクリーナ４を印字機本体（詳細には、カセット収納部２）に対して直接位置決めして取付けるために用いられる。つまり、図４に示すように、第１の実施形態の印字機では、印字機本体（詳細には、カセット収納部２）に対してチューブクリーナ４が直接取付けられる。
【００２３】
図５は図４に示したチューブクリーナ４およびチューブＴの斜視図、図６は図４および図５に示したチューブクリーナ４の断面図である。図５および図６において、４’はチューブをクリーニングするための例えばスポンジのようなクリーニング部材、６はチューブＴを把持するためにクリーニング部材４’に形成された貫通孔である。７は貫通孔６から貫通孔の径方向に延びているチューブ取付け用スリットである。
【００２４】
図５および図６に示すように、第１の実施形態の印字機では、チューブ取付け用スリット７を介して貫通孔の径方向にチューブＴを移動させることにより、チューブＴがチューブクリーナ４の貫通孔６内にセットされる。次いで、貫通孔６に対してチューブＴを貫通孔の中心軸線方向に移動させることにより、チューブＴのクリーニングが行われる。
【００２５】
すなわち、第１の実施形態の印字機では、図３および図４に示したように、記名板用テープカセット５若しくはチューブカセットを印字機本体に対して位置決めするために印字機本体に設けられた位置決め部３が、印字機本体に対してチューブクリーナ４を直接位置決めして取付けるための位置決め部３として用いられる。つまり、印字機本体に対してチューブクリーナ４が直接取付けられる。そのため、印字機本体に対してチューブクリーナがチューブ用アダプタを介して取付けられる従来の場合よりも、部品数を低減してコストを抑制することができ、印字機本体に対するチューブクリーナ４の取付けを簡略化することができる。
【００２６】
更に、第１の実施形態の印字機では、図５および図６に示したように、貫通孔６から貫通孔の径方向に延びているチューブ取付け用スリット７が設けられている。つまり、チューブ取付け用スリット７を介して貫通孔の径方向にチューブＴを移動させることにより、チューブＴがチューブクリーナ４の貫通孔６内にセットされる。そのため、チューブを貫通孔の中心軸線方向に移動させることによりチューブがその一端からチューブクリーナの貫通孔内にセットされる従来の場合よりも、チューブＴをチューブクリーナ４の貫通孔６内に容易にセットすることができる。
【００２７】
上述した第１の実施形態では、チューブに印字を行うチューブ印字モードと、記名板用テープに印字を行う記名板印字モードとを有する印字機のチューブクリーナ４にチューブ取付け用スリット７が設けられているが、第２の実施形態では、少なくともチューブに印字を行うチューブ印字モードを有した印字機のチューブクリーナに、第１の実施形態と同様のチューブ取付け用スリットを設けることも可能である。第２の実施形態の印字機においても、第１の実施形態の印字機と同様に、チューブをチューブクリーナの貫通孔内に容易にセットすることができる。
【図面の簡単な説明】
【００２８】
【図１】第１の実施形態の印字機の斜視図である。
【図２】図１に示した印字機の一部の拡大平面図である。
【図３】図１に示した印字機に記名板用テープカセットを取付けた状態を示した図２と同様の拡大平面図である。
【図４】図１に示した印字機にチューブクリーナを取付けた状態を示した図２と同様の拡大平面図である。
【図５】図４に示したチューブクリーナ４およびチューブＴの斜視図である。
【図６】図４および図５に示したチューブクリーナ４の断面図である。
【符号の説明】
【００２９】
１    印字部
２    カセット収納部
３    位置決め部
４    チューブクリーナ
４’  クリーニング部材
５    記名板用テープカセット
６    貫通孔
７    チューブ取付け用スリット
【図１】
2005199587.tif 000003
【図２】
2005199587.tif 000004
【図３】
2005199587.tif 000005
【図４】
2005199587.tif 000006
【図５】
2005199587.tif 000007
【図６】
2005199587.tif 000008